【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
プラント機器と、
前記プラント機器を始動させるための交流電動機と、
少なくとも一つの直流電源と、
前記少なくとも一つの直流電源と前記交流電動機との間、かつ、前記少なくとも一つの直流電源と電力系統との間に設けられた第１インバータと、を備え、
前記第１インバータは、前記少なくとも一つの直流電源からの直流電力を交流電力に変換するとともに、該交流電力を前記交流電動機又は前記電力系統に選択的に供給可能に構成された
ことを特徴とする発電プラント。
【請求項２】
前記第１インバータと前記電力系統との接続状態を切り替えるための第１開閉器と、
前記直流電源と前記電力系統との間において、前記第１インバータ及び前記第１開閉器に対して並列に設けられ、前記電力系統からの交流電力を直流電力に変換するための整流器と、
前記直流電源と前記電力系統との間において、前記第１インバータ及び前記第１開閉器に対して並列に設けられ、前記整流器と前記電力系統との接続状態を切り替えるための第２開閉器と、
をさらに備え、
前記少なくとも一つの直流電源は、前記整流器からの直流電流を受け取るように構成された二次電池又は電気化学式燃料生成発電装置を含む
ことを特徴とする請求項１に記載の発電プラント。
【請求項３】
前記プラント機器としての原動機によって駆動されるように構成され、前記電力系統に連系可能に構成された交流発電機と、
前記直流電源と前記交流発電機との間に設けられ、前記交流発電機からの交流電力を直流電力に変換するための整流器と、を備え、
前記少なくとも一つの直流電源は、前記整流器からの直流電力を受け取るように構成された二次電池又は電気化学式燃料生成発電装置を含む
ことを特徴とする請求項１又は２に記載の発電プラント。
【請求項４】
前記直流電源と前記電力系統との間において、前記第１インバータに対して並列に設けられた第２インバータを備え、
前記第２インバータは、前記第１インバータが前記交流電動機に交流電流を供給している間、前記直流電源からの直流電力を交流電力に変換して前記交流電動機とは別の電力需要部に供給するように構成された
ことを特徴とする請求項１乃至３の何れか一項に記載の発電プラント。
【請求項５】
前記プラント機器としての原動機によって駆動されるように構成され、前記電力系統に連系される交流発電機を備え、
前記交流発電機は、前記原動機を始動させるための前記交流電動機として機能するように構成された
ことを特徴とする請求項１乃至４の何れか一項に記載の発電プラント。
【請求項６】
前記プラント機器としての原動機によって駆動されるように構成され、前記電力系統に連系される交流発電機を備え、
前記交流発電機は、該交流発電機の励磁電力として前記直流電源からの直流電力が供給されるように構成された
ことを特徴とする請求項１乃至５の何れか一項に記載の発電プラント。
【請求項７】
前記交流電動機として、前記交流発電機を兼用することを特徴とする請求項５又は６に記載の発電プラント。
【請求項８】
前記プラント機器はガスタービンを含み、
前記交流電動機は、前記ガスタービンを駆動するように構成された
ことを特徴とする請求項１乃至７の何れか一項に記載の発電プラント。
【請求項９】
前記少なくとも１つの直流電源は、アノードと、二酸化炭素を含むガスが供給されるように構成されたカソードと、前記二酸化炭素由来の炭酸イオンを前記カソードから前記アノードに移動させるように構成された電解質と、を含む燃料電池を含み、
前記カソードは、前記二酸化炭素を含むガスとして、前記ガスタービンからの排ガスが供給されるように構成された
ことを特徴とする請求項８に記載の発電プラント。
【請求項１０】
前記少なくとも一つの直流電源に対して並列に設けられた電気化学式燃料生成装置をさらに備えることを特徴とする請求項１乃至９の何れか一項に記載の発電プラント。
【請求項１１】
プラント機器と、交流電動機と、少なくとも１つの直流電源と、前記直流電源と前記交流電動機との間、かつ、前記直流電源と電力系統との間に設けられた第１インバータと、を含む発電プラントの運転方法であって、
前記少なくとも１つの直流電源で直流電力を生成するステップと、
前記第１インバータにより前記直流電力を交流電力に変換するステップと、
前記第１インバータから交流電力を前記交流電動機に供給して、前記プラント機器を始動させるステップと、
前記プラント機器の始動後、前記プラント機器の稼働中に、前記第１インバータから交流電力を前記電力系統に供給するステップと、
を備えることを特徴とする発電プラントの運転方法。
【請求項１２】
前記発電プラントは、前記直流電源と前記電力系統との間において前記第１インバータに対して並列に設けられた整流器をさらに含み、
前記少なくとも１つの直流電源は、二次電池又は電気化学式燃料生成発電装置を含み、
前記プラント機器の稼働中に、前記少なくとも一つの直流電源からの直流電力を前記第１インバータによって交流電力に変換し、該交流電力を前記電力系統に供給するステップと、
前記電力系統において電力需要が規定値以下に低下したときに、前記電力系統からの交流電力を前記整流器によって直流電力に変換し、該直流電力を前記二次電池又は前記電気化学式燃料生成発電装置に供給するステップと、
を備えることを特徴とする請求項１１に記載の発電プラントの運転方法。
【請求項１３】
前記発電プラントは、前記プラント機器としての原動機によって駆動されるとともに前記電力系統に連系される交流発電機と、前記直流電源と前記交流発電機との間に設けられた整流器と、を備え、
前記少なくとも１つの直流電源は、二次電池又は電気化学式燃料生成発電装置を含み、
前記交流発電機を前記電力系統から解列させるステップと、
前記交流発電機を解列させた後、前記原動機が停止するまでの間、前記交流発電機からの回生電力を、前記整流器を介して前記二次電池又は前記電気化学式燃料生成発電装置に供給するステップと、
を備えることを特徴とする請求項１１又は１２に記載の発電プラントの運転方法。
【請求項１４】
前記少なくとも１つの直流電源は二次電池を含み、
前記プラント機器の稼働中、前記二次電池において前記回生電力分の空き容量を維持するステップをさらに備える
ことを特徴とする請求項１３に記載の発電プラントの運転方法。
【請求項１５】
前記発電プラントは、前記直流電源と前記電力系統との間において、前記第１インバータに対して並列に設けられた第２インバータを含み、
前記第１インバータが前記プラント機器の始動のために前記交流電動機に交流電流を供給している間、前記直流電源からの直流電力を前記第２インバータによって交流電力に変換して前記交流電動機とは別の電力需要部に供給するステップをさらに備える
ことを特徴とする請求項１１乃至１４の何れか一項に記載の発電プラントの運転方法。
【請求項１６】
前記少なくとも１つの直流電源は二次電池を含み、
前記プラント機器の稼働中、前記プラント機器の始動に必要な量の電力が前記二次電池に蓄電された状態を維持するステップをさらに備える
ことを特徴とする請求項１１乃至１５の何れか一項に記載の発電プラントの運転方法。
【請求項１７】
前記少なくとも１つの直流電源は、前記二次電池とは別の１以上の電源をさらに含み、
前記維持するステップでは、前記プラント機器の始動に必要な量の電力が前記二次電池に蓄電された状態とするために、前記１以上の電源から前記二次電池に電力を供給する
ことを特徴とする請求項１６に記載の発電プラントの運転方法。
【請求項１８】
前記１以上の電源は太陽電池を含み、
前記太陽電池の発電電力を予測するステップと、
前記予測するステップでの予測結果に基づいて、前記維持するステップにおける前記太陽電池から前記二次電池への電力供給量を決定するステップと、
をさらに備えることを特徴とする請求項１７に記載の発電プラントの運転方法。
【請求項１９】
前記少なくとも１つの直流電源は、二次電池と、前記二次電池とは別の１以上の電源と、を含み、
前記プラント機器を始動させるステップでは、前記二次電池に蓄電された直流電力よりも、前記１以上の電源からの直流電力を優先して前記第１インバータを介して前記交流電動機に供給する
ことを特徴する請求項１１乃至１６の何れか一項に記載の発電プラントの運転方法。
【請求項２０】
前記第１インバータは、前記プラント機器の始動時には、前記交流電力の周波数を増加させながら前記交流電力を前記交流電動機に供給するように、かつ、前記プラント機器の始動時以外には、規定周波数にて前記交流電力を前記電力系統に供給するように構成された
請求項１乃至１０の何れか一項に記載の発電プラント。
【請求項２１】
前記プラント機器を始動させるステップでは、前記第１インバータを介して、前記交流電力の周波数を増加させながら前記交流電力を前記交流電動機に供給し、
前記電力系統に供給するステップでは、前記第１インバータを介して、規定周波数にて前記交流電力を前記電力系統に供給する
請求項１１乃至１９の何れか一項に記載の発電プラントの運転方法。